(57)【要約】【課題】赤外線投光器と赤外線受光器の台数を減らすことができ、それによってスキャナー等文書処理事務装置の生産コストを下げ、検出効果を高める給紙状態及び紙幅の検出方法を提供する。【解決手段】給紙状態及び紙幅の検出方法は、以下ステップを含む。(ａ）少なくとも一赤外線投光器を使用して赤外線信号を発射する。(ｂ）集光部品を使用し、赤外線投光器が発射した赤外線信号を一つに集光する。(ｃ）受光器を使用し、集光部品が一つに集めた赤外線信号を受信するのに用い、そのうち、用紙が前向きに進入する時、用紙は赤外線投光器と集光部品の間に位置し、用紙が一部の集光部品を遮蔽する。それによって一部の赤外線信号を遮蔽し、該受光器が受信した赤外線信号量の多寡によって変化が発生し、受光器が受信した赤外線信号量の多寡によって用紙の給紙状態と用紙の紙幅を確定する。【選択図】図８
2019038654.tif 000002
【特許請求の範囲】
【請求項１】
給紙状態及び紙幅の検出方法において、そのうち、
（ａ）少なくとも一赤外線投光器を使用して赤外線信号を発射し、
（ｂ）集光部品を使用し、赤外線投光器が発射した赤外線信号を一つに集光し、
（ｃ）受光器を使用し、集光部品が一つに集めた赤外線信号を受信するのに用い、そのうち、用紙が前向きに進入する時、用紙は赤外線投光器と集光部品の間に位置し、用紙が一部の集光部品を遮蔽し、それによって一部の赤外線信号を遮蔽し、該受光器が受信した赤外線信号量の多寡によって変化が発生し、受光器が受信した赤外線信号量の多寡によって用紙の給紙状態と用紙の紙幅を確定するステップを含むことを特徴とする給紙状態及び紙幅の検出方法。
【請求項２】
前記集光部品は、透明材料で製造され、集光部品の赤外線投光器と相互に対応する一端が大きく、集光部品３１の受光器４０に近い一端は小さく、集光部品の赤外線投光器と受光器に対応する両端は平面であり、集光部品の受光器に近い一端の表面は受光器箇所に対応して円弧形状凹槽を成形することを特徴とする請求項１記載の給紙状態及び紙幅の検出方法。
【請求項３】
前記集光部品は、透明材料で製造され、集光部品は、Ｖ字型の開口が赤外線投光器向きの集光主体部を備え、集光主体部の横断面は円形状であり、集光主体部上には間隔排列で円柱形状の集光分枝部を復数固定設置し、該集光分枝部は赤外線投光器方向に延びることを特徴とする請求項１記載の給紙状態及び紙幅の検出方法。
【請求項４】
前記ステップは、(ａ）更に以下のステップを含み、(ａ１）分光部品を使用し赤外線投光器が発射した赤外線信号を特定方向に向けて均一に分布し更に続けて前向きに発射し、該集光部品は、分光部品を経て分散した後の赤外線信号を一つに集光し、該用紙が前向きに進入する時、用紙は分光部品と集光部品の間に位置するステップを含むことを特徴とする請求項１記載の給紙状態及び紙幅の検出方法。
【請求項５】
前記分光部品は、透明材料で製造され、分光部品は基部を備え、基部の投光器と相互に対応する側面は円弧形状で、該円弧形状の側面の中間はＶ字型の開口で赤外線投光器向きのライトガイド部を連接することを特徴とする請求項４記載の給紙状態及び紙幅の検出方法。
【請求項６】
前記分光部品は、透明材料で製造され、分光部品はV字型の開口で集光部品向きの分光主体部を備え、分光主体部の横断面は円形状であり、分光主体部の上には間隔排列で円柱形状の分光分枝部を複数固定設置し、該分光分枝部は受光器向きに延びることを特徴とする請求項４記載の給紙状態及び紙幅の検出方法。
【発明の詳細な説明】
【技術分野】
【０００１】
本発明は、一種の検出方法に関し、特に給紙状態及び紙幅の検出方法に係る。
【背景技術】
【０００２】
図１、図４と図５に示すとおり、公知のスキャナー等文書処理事務装置の給紙通過道の両側には複数の赤外線投光器１００'と赤外線受光器２００'が対応設置される。各赤外線受光器２００'は、対応する赤外線投光器１００'が発射する赤外線信号をそれぞれ受信する。用紙３００'が前向きに進入する時、用紙３００'は一部の赤外線投光器１００'が発射する赤外線信号を遮断し、当該部分の赤外線投光器１００'と相互に対応する赤外線受光器２００'が赤外線信号を受信できなくなり、それによって赤外線信号が遮断された赤外線投光器１００'の台数と位置は、進入した用紙３００'の紙幅と用紙３００'は進入時に歪みが発生したかどうかを判断する。他に、予め設置した用紙３００'の紙送り速度は予め設定した送り距離まで送る時間内の赤外線信号を加味し、当該進入用紙３００'によって遮断されるその赤外線投光器の台数に基づき、当該進入用紙３００'が紙詰まりしたか否かを知ることができる（予め設定した送り距離を時間内に送る際、仮に赤外線信号が当該進入用紙３００'によって遮断された赤外線投光器１００'の台数が設定値よりも小さい時、進入した用紙３００'は紙詰まりしたと判断できる）。
【０００３】
図１と図２に示すとおり、公知の赤外線投光器１００'の軸線と赤外線受光器２００'の軸線は揃っている。当該進入用紙３００'の紙頭が軸線位置に達すると、システムは当該進入用紙３００'が赤外線投光器１００'の発射した赤外線信号を遮断したと判断し、それによって後続動作を行う。その判断をした当該進入の用紙３００'が赤外線投光器１００'の発射した赤外線信号を遮断するか否かは、受信端電圧（赤外線受光器２００'が受信した赤外線信号は対応する電圧に転換する）の変更によって判断する。その判定過程は以下のとおりである。先ず、赤外線投光器１００'と赤外線受光器２００'の間に用紙がない時の受信端が受信した電圧をＮと設定する。次に赤外線投光器１００'と赤外線受光器２００'の間に用紙がある時の電圧Ｍを設定する。用紙３００'がちょうど軸線に到達した時の受信端の電圧を（Ｎ＋Ｍ）／２とする。そのため受電した電圧が（Ｎ＋Ｍ）／２である時、当該進入用紙３００'は赤外線投光器１００'が発射した赤外線信号を遮断し、それはつまり紙頭が赤外線投光器１００'と赤外線受光器２００'の軸線位置に達したと判定するということである。
【０００４】
図３に示すとおり、但し、赤外線投光器１００'と赤外線受光器２００'を設置した時、両者の軸線は揃うとは限らず、両者の軸線の偏りが大きすぎる時、用紙３００'は赤外線投光器１００'もしくは赤外線受光器２００'の軸線に達しない場合、受信端が受信した電圧は（Ｎ＋Ｍ）／２より小さくなり、システムは当該進入用紙３００'が赤外線投光器１００'が発射した赤外線信号を遮断したと判定する。即ち、用紙３００'の紙頭はすでに赤外線投光器１００'もしくは赤外線受光器２００'の軸線箇所に到達したということである。更ひどい場合には、赤外線投光器１００'もしくは赤外線受光器２００'の間に用紙３００'がない時、受信端が受信した電圧は（Ｎ＋Ｍ）／２より低く、システムは常に誤判動作の状態となる。
【発明の概要】
【発明が解決しようとする課題】
【０００５】
解決しようとする問題点は、赤外線投光器と赤外線受光器を設置した時、両者の軸線は揃うとは限らず、両者の軸線の偏りが大きすぎる時、誤判動作の状態となる点である。
【０００６】
上述公知の欠点を改善し、該方法を使用することに拠って、赤外線投光器と赤外線受光器の台数を減らすことができ、それによってスキャナー等文書処理事務装置の生産コストを下げ、検出効果を高める紙状態及び紙幅の検出方法を提供することを本発明の目的とする。
【課題を解決するための手段】
【０００７】
上述目的を達成するため、本発明は、給紙状態及び紙幅の検出方法を提供し、それは以下を含む。(ａ）少なくとも一赤外線投光器を使用して赤外線信号を発射する。(ｂ）集光部品を使用し、赤外線投光器が発射した赤外線信号を一つに集光する。(ｃ）受光器を使用し、集光部品が一つに集めた赤外線信号を受信するのに用い、そのうち、用紙が前向きに進入する時、用紙は赤外線投光器と集光部品の間に位置し、用紙が一部の集光部品を遮蔽する。それによって一部の赤外線信号を遮蔽し、該受光器が受信した赤外線信号量の多寡によって変化が発生し、受光器が受信した赤外線信号量の多寡によって用紙の給紙状態と用紙の紙幅を確定する。
【発明の効果】
【０００８】
上述のとおり、本発明の給紙状態及び紙幅の検出方法は、当該進入の用紙が進入時、集光部品の大きさの違いによる面積を遮蔽する。それに拠って受光器は異なる大きさの赤外線信号量を受信する。受光器が受信した赤外線信号量の多寡によって、当該進入用紙が歪んでいるか否か、紙詰まりしているか否か等給紙状態を検出し、更に当該進入用紙の紙幅についても検出する。公知技術と比較して、本発明の給紙状態及び紙幅の検出方法は、赤外線投光器と受光器の台数を減らすことができる。それによって、スキャナー等文書処理事務装置の生産コストを下げ、検出効果を高める。
【図面の簡単な説明】
【０００９】
【図１】公知技術の赤外線投光器と受光器の指示図である。
【図２】公知技術の当該進入用紙の紙頭が赤外線投光器の軸線箇所に到達した指示図である。
【図３】公知技術の赤外線投光器と受光器の軸線が揃っていない状態の指示図である。
【図４】公知技術の当該進入用紙の紙幅を検出する指示図である。
【図５】公知技術の当該進入用紙が紙詰まりしているかどうかを検出する指示図である。
【図６】本発明の給紙状態及び紙幅の検出方法の第一実施例のフローチャート図である。
【図７】本発明の給紙状態及び紙幅の検出方法で第一実施例を使用した赤外線投光器、受光器、分光部品と集光部品の立体図である。
【図８】本発明の給紙状態及び紙幅の検出方法を使用した分光部品と集光部品の第一実施例の左側視図である。
【図９】図８の本発明の給紙状態及び紙幅の検出方法で、検出過程の指示図である。
【図１０】本発明の給紙状態及び紙幅の検出方法で、用紙が歪んでいるかどうかを検出した時の指示図である。
【図１１】本発明の給紙状態及び紙幅の検出方法で、用紙幅を検出した時の指示図である。
【図１２】本発明の給紙状態及び紙幅の検出方法で、分光部品と集光部品を使用した第二実施例で当該進入用紙に対してテストする指示図である。
【図１３】本発明の給紙状態及び紙幅の検出方法で、分光部品と集光部品を使用した第一実施例で用紙厚みが２８gでテストを行うテストデータ図である。
【図１４】本発明の給紙状態及び紙幅の検出方法で、分光部品と集光部品を使用した第一実施例で用紙厚みが３５０gでテストを行うテストデータ図である。
【図１５】本発明の給紙状態及び紙幅の検出方法で、図１３と図１４のテストデータに対して進行線形回帰分析の指示図である。
【図１６】本発明の給紙状態及び紙幅の検出方法で第二実施例のフローチャート図である。
【図１７】本発明の給紙状態及び紙幅の検出方法で、第二実施例の用紙を検出した時の指示図である。
【発明を実施するための形態】
【００１０】
［実施例１］
本発明の技術内容、構造特徴、それに拠って達成する目的及びその効果を以下に実施例を挙げ、図式と共に説明する。
【００１１】
図６と図７に示すとおり、本発明の給紙状態及び紙幅の検出方法は、以下を含む。
（ａ）少なくとも一赤外線投光器１０を使用して赤外線信号を発射する。
（ａ１）分光部品を使用し赤外線投光器１０が発射した赤外線信号を特定方向に向けて均一に分布し更に続けて前向きに発射する。
（ｂ）集光部品を使用し、分光部品が分散した後の赤外線信号を一つに集める。
（ｃ）受光器４０を使用し、集光部品が一つに集めた赤外線信号を受信するのに用いる。そのうち、用紙５０が前向きに進入した時、用紙５０は分光部品と集光部品の間に位置し、用紙５０は一部の集光部品を遮蔽する。それによって一部の赤外線信号を遮蔽し、受光器４０が受信した赤外線信号量の多寡によって変化を起こし、受光器４０が受信した赤外線信号量の多寡によって用紙５０の給紙状態と用紙５０の紙幅を確定する。
【００１２】
図７と図８に示すのは、本発明の給紙状態及び紙幅の検出方法を使用した分光部品と集光部品の第一実施例である。該実施例において、該分光部品２１は、透明材料で製造され、分光部品２１は基部２１１を備える。基部２１１の赤外線投光器１０と相互に対応する側面は円弧形状で、円弧形状の中間はＶ字型の開口で赤外線投光器１０のライトガイド部２１２向きに連接する。該集光部品３１は、透明材料で製造され、集光部品３１の赤外線投光器１０と相互に対応する一端は大きく、集光部品３１の受光器４０に近い一端は小さい。集光部品３１の赤外線投光器１０と受光器４０に対応する両端は平面であり、集光部品３１の受光器４０一端に近い表面の受光器４０に対応する箇所には弧形の凹槽３１１を成形する。
【００１３】
図７から図１０、図１３と図１４、図１３と図１４が示すのは、すべて分光部品２１と集光部品３１を使用してテストしたテストデータ図である。本実施例において使用する赤外線投光器１０の発光角度は５０度であり、電気抵抗値４５．４ＫWである。分光部品２１は集光部品３１及び受光器４０と相互に対応する一面が長方形の平面であり、該平面の長辺の長さは１０ＭＭで短辺の長さは６．１ＭＭであり、分光部品２１の長辺延長方向を設置と給紙方向と同じにして設置する。即ち、用紙５０は分光部品２１の長辺の延長方向に沿って前向きに進入し、該分光部品２１は、赤外線投光器１０が発射した赤外線信号を長辺延長方向に沿って均一に分布し且つ前向きに発射する。該集光部品３１は分光部品２１及び赤外線投光器１０と相互に対応する一面が長方形平面を設置し、該長方形平面の長辺と短辺の長さの対応設置は１０ＭＭと６．１ＭＭである。該集光部品３１の両長辺とそれぞれ対応する両側面は平面で設置し、集光部品３１の両短辺とそれぞれ対応する両側面は円弧面で設置する。図１３と図１４に示すとおり、本実施例において、集光部品３１が検出できる有効範囲の長さは９ＭＭ（１０ＭＭから９．５ＭＭと０ＭＭから０．５ＭＭの位置は無効検出範囲とする）であり、用紙５０が前向きに進入して集光部品３１を半分遮蔽した時、受光器４０が受信した赤外線信号量を電圧に転換し、受電した電圧は１．６Ｖである。
【００１４】
図７から図１０に示すとおり、本発明の給紙状態及び紙幅の検出方法は、用紙５０進入に際して歪みが発生したか否かを検出する時、左右両側のどちらにも一組赤外線投光器１０と受光器４０を設置する必要がある。二組の赤外線投光器１０と受光器４０の間にはそれぞれ分光部品２１と集光部品３１を設置する。予め左右に設置した二台の赤外線投光器１０中心点からの距離は１００ＭＭであり、用紙５０が歪んで進入すると、左右二台の受光器４０がそれぞれ受信した赤外線信号量は異なるため、受電した電圧も異なる。当該進入用紙５０の歪んだ角度は以下の方法で求めることができる。左右二台の赤外線受光器４０が受信した赤外線信号量はそれぞれ相互に対応する電圧に転換する。次に電圧に基づいてそれぞれ当該進入用紙５０の紙頭が達した位置（左側紙頭が達した位置をＸ１とする、右側紙頭が達した位置はＸ２とする）を算出する。それによって用紙５０の紙頭が網羅する距離差Ｘ（Ｘ＝Ｘ１−Ｘ２）を求めることができる。本実施例において、左右二台の赤外線投光器１０中心点からの距離はＬは１００ＭＭであるとわかっているので、それを三角関数公式Ａｒｃｔａｎ（Ｘ／Ｌ）＝θに置き換える。θは進入用紙５０の歪斜角度とする。それによって、当該進入用紙５０が歪んでいるかどうか、歪み角度がどれくらいかを検出できる。通常、公知スキャナー等文書処理事務装置の給紙装置が用紙を歪んでいると判断するのは、通常歪み５度を臨界値とする。即ち、進入用紙の歪みが５度よりも大きい時、当該進入用紙５０の歪みは厳重であると判断して給紙を停止する。進入用紙の歪みが５度より小さい時は、当該進入用紙５０は正常給紙であると判断される。本実施例は公知技術と比較して、赤外線投光器１０と受光器２０の台数を大幅に減らすことができる。それによって、スキャナー等文書処理事務装置の生産コストを下げ、更に検出効果を向上できる。
【００１５】
図７、図９、図１３と図１４に示すとおり、本発明の給紙状態及び紙幅の検出方法において、用紙５０の給紙時に紙詰まりしたか否かを検出するのに僅か一個の赤外線投光器１０と一個の受光器４０だけで済み、赤外線投光器１０と一個受光器４０の間にはそれぞれ分光部品と集光部品を対応設置する。用紙５０が前向きに進入した時、用紙５０は分光部品と集光部品の間に設置され、受光器４０が受信した赤外線信号量は徐々に変化する。それに拠って転換した後の電圧も徐々に変化する。用紙５０の紙頭が前向きに一定距離進入した時間内において、仮に電圧変化が設定値よりも小さい時、当該進入した用紙５０は紙詰まりしたと判断する。本実施例において、使用した分光部品と集光部品は、第一実施例が使用した分光部品２１と集光部品３１であり、分光部品２１と集光部品３１の長辺に伸びた方向を給紙方向と同じに設置する。予め設置した進入用紙５０の紙頭が前向きに２ＭＭ進入する時間内に、仮に受光器４０が受信した電圧値の変化が０．１５Ｖ（平均前進０．５ＭＭの電圧変化値）よりも小さい時、用紙５０が紙詰まりであると判定する。
【００１６】
図９と図１１に示すとおり、本発明の給紙状態及び紙幅の検出方法を使用して、当該進入用紙５０の紙幅を検出する時、左右に二組の赤外線投光器１０と受光器４０を間隔設置する。予め設置した二組の赤外線投光器１０の中心点からの相互距離をＤとし、二組の赤外線投光器１０と受光器の間でそれぞれ分光部品と集光部品を設置する。本実施例において、使用する分光部品と集光部品は第一実施例で使用する分光部品２１と集光部品３１であり、分光部品２１の長辺の延長方向を用紙５０進入方向と相互垂直で設置する。それに拠って左右二個の分光部品２１と集光部品３１を更に幅広で被覆することができる。
【００１７】
用紙５０が前向きに進入した時、用紙５０の両側は二組の分光部品２１と集光部品３１の間にそれぞれ位置する。用紙５０は二組の赤外線投光器１０と受光器４０の間の部分赤外線信号をそれぞれ遮断する。それに拠って左右二台の受光器４０は、異なる赤外線信号量を受光する。異なる赤外線信号量を転化し、相互に対応する電圧にそれぞれ転換する。そして受電した電圧に基づき、用紙５０両側でそれぞれ遮断した集光部品３１の距離を算出する。左側の遮断した集光部品の距離をＡ１とし、右側の遮断した集光部品の距離をＡ２とする。予め設置した二組の集光部品３１の両側面に対応する距離は数値Ｄとし、当該進入用紙の紙幅はＰ＝Ｄ＋Ａ１＋Ａ２とする。それにより、受光器４０が受信した赤外線信号量に基づいて電圧に転化して当該進入した用紙５０の紙幅を検出する。本発明の給紙状態及び紙幅の検出方法を使用し、それを公知技術と比較した場合、二台の赤外線投光器１０と二台の受光器４０を設置するだけで当該進入用紙５０の紙幅を検出する機能を達成し、その検出効果は良好である。  
【００１８】
図８と図１５に示すとおり、当該進入用紙５０の厚みが、それぞれ２８ｇと３５０ｇで集光部品３１を遮蔽して異なる長さになる時、受電した電圧線性関連レベルは比較的密接で、受電した電圧値を加味し当該進入の用紙５０に対して、歪んだか否か、紙詰まりしたか否か等の給紙状態を有効に検出でき、また当該進入用紙５０の紙幅に対して有効に検出できる。
【００１９】
［実施例２］
図１２は、本発明の給紙状態及び紙幅の検出方法を使用した分光部品と集光部品の第二実施例であり、該実施例において、該分光部品２２は、透明材料で製造され、分光部品２２は、Ｖ字形の開口で集光部品３２向きの分光主体部２２１を備える。分光主体部２２１の横断面は円形状であり、分光主体部２２１上には間隔排列で円柱形状の分光分枝部２２２を複数固定設置し、該分光分枝部２２２は受光器４０向きに延びる。該集光部品３２は、透明材料で製造され、集光部品３２はＶ字形の開口で赤外線投光器１０向きの集光主体部３２１を備え、集光主体部３２１の横断面は円形状であり、集光主体部３２１上には間隔排列で円柱形状の集光分枝部３２２を復数固定設置し、各集光分枝部３２２はそれぞれ分光分枝部２２２と相互に対応し、該集光分枝部３２２は赤外線投光器１０方向へ延びる。本実施例において、赤外線投光器１０を開けると、分光部品２２が赤外線信号を分光主体部２２１の両端及び各分光分枝部２２２に導く。それに拠って赤外線信号を平均分布して継続前向きに発射する。その後、集光主体部３２１の両端と各集光分枝部３２２は、それぞれ分光主体部２２１の両端及び分光分枝部２２２が投光した赤外線信号を対応集光して一つにする。用紙５０が前向きに進入した時、集光主体部３２１の一端と部分集光分枝部３２２を遮蔽し、それに拠って受光器４０が受信した赤外線信号量を変化させ、受光器４０が受信した赤外線信号量を対応する電圧値に転換し、また、当該進入の用紙５０に対して、歪んでいるか否か、紙詰まりしているか否か等給紙状態を有効に検出し、当該進入用紙５０の紙幅に対しても有効に検出する。
【００２０】
図１６と図１７に示すのは、本発明の給紙状態及び紙幅の検出方法の第二実施例である。それは複数の赤外線投光器１０'、集光部品３０'と受光器４０'を設置し、以下を含む。
（ａ）少なくとも一赤外線投光器１０'を使用し、赤外線信号を投光する。
（ｂ）集光部品３０'を使用し、赤外線投光器１０'が発射した赤外線信号を一つに集光する。
（ｃ）受光器４０'を使用して集光部品３０'で一つに集光した赤外線信号を受信する。そのうち、用紙５０'が前向きに進入した時、用紙５０'は、赤外線投光器１０'と集光部品３０'の間に位置し、用紙５０は一部の集光部品３０'を遮蔽する。それによって一部の赤外線信号を遮蔽し、該受光器４０'が受信した赤外線信号量の多寡によって変化を起こす。受光器４０'が受信した赤外線信号量の多寡によって、用紙５０'の給紙的状態と用紙５０'の紙幅を確定する。
【００２１】
図１６と図１７に示すとおり、用紙５０'が前向きに進入した時、用紙５０'は一部の赤外線投光器１０'が発射した赤外線信号を遮断する。それに拠って受光器４０'は異なる赤外線信号量を受信することになり、受光器４０'が受信した異なる赤外線信号量を相互に対応する電圧に転換する。それに拠って当該進入用紙５０'が歪んでいるか否か、紙詰まりしているか否か等給紙状態を検出するか、もしくは当該進入用紙５０'の紙幅に対して検出する。該実施例において、公知技術に相対し、それは受光器４０'を設置するだけでよく、それに拠ってスキャナー等文書処理事務装置の生産コストを下げ、検出効果を高める。
【００２２】
上述のとおり、本発明の給紙状態及び紙幅の検出方法は、当該進入の用紙５０が進入する時、集光部品の大きさが異なる面積を遮断する。それに拠って受光器４０は異なる大きさの赤外線信号量を受信する。受光器４０が受信した赤外線信号量の多寡によって大きさが異なる電圧に転換する。それに拠って当該進入用紙５０が歪んでいるか否か、紙詰まりしているか否か等給紙状態に対して検出を行い、また当該進入用紙５０の紙幅に対しても検出を行う事ができる。公知技術と相対し、本発明の給紙状態及び紙幅の検出方法は、赤外線投光器１０と受光器４０の台数を減らすことができる。それによって、スキャナー等文書処理事務装置の生産コストを下げ、検出効果を高める。
【符号の説明】
【００２３】
２１１        基部
２１２        ライトガイド部
２２１        分光主体部
２２２        分光分枝部
３１１        凹槽
３２１        集光主体部
３２２        集光分枝部
１０        赤外線投光器
１０'      赤外線投光器
２１        分光部品
２２        分光部品
３０'      集光部品
３１        集光部品
３２        集光部品
４０        受光器
４０'      受光器
５０        用紙
５０'      用紙
【図１】
2019038654.tif 000003
【図２】
2019038654.tif 000004
【図３】
2019038654.tif 000005
【図４】
2019038654.tif 000006
【図５】
2019038654.tif 000007
【図６】
2019038654.tif 000008
【図７】
2019038654.tif 000009
【図８】
2019038654.tif 000010
【図９】
2019038654.tif 000011
【図１０】
2019038654.tif 000012
【図１１】
2019038654.tif 000013
【図１２】
2019038654.tif 000014
【図１３】
2019038654.tif 000015
【図１４】
2019038654.tif 000016
【図１５】
2019038654.tif 000017
【図１６】
2019038654.tif 000018
【図１７】
2019038654.tif 000019